(57)【要約】【課題】全セル初期化回数を増やしても、必要なサブフィールド数が確保でき、かつ、安定した高速書込みが可能であるプラズマディスプレイパネルの駆動方法を提供する。【解決手段】サブフィールドの初期化期間には、画像表示を行うすべての放電セルに対して初期化放電を行わせる全セル初期化動作または直前のサブフィールドにおいて維持放電を行った放電セルに対して選択的に初期化放電を行わせる選択初期化動作を行わせ、サブフィールドの書込み期間において書込み放電を発生させるための時間を、１フィールドを構成する複数のサブフィールドのうち、全セル初期化動作を行うサブフィールドの数が少ない場合には長く、全セル初期化動作を行うサブフィールドの数が多くなるにつれて短く設定する。【選択図】図５
2005321500.tif 000002
【特許請求の範囲】
【請求項１】
走査電極および維持電極とデータ電極との交差部に放電セルを形成してなるプラズマディスプレイパネルの駆動方法であって、
１フィールド期間が初期化期間、書込み期間および維持期間を有する複数のサブフィールドから構成され、
前記複数のサブフィールドの初期化期間には、画像表示を行うすべての放電セルに対して初期化放電を発生させる全セル初期化動作を行わせるか、または直前のサブフィールドにおいて維持放電を発生した放電セルに対して選択的に初期化放電を発生させる選択初期化動作を行わせ、
前記複数のサブフィールドの書込み期間において書込み放電を発生させるための時間を、１フィールドを構成する前記複数のサブフィールドのうち、全セル初期化動作を行うサブフィールドの数が少ない場合には長く設定し、全セル初期化動作を行うサブフィールドの数が多くなるにつれて短く設定することを特徴とするプラズマディスプレイパネルの駆動方法。
【請求項２】
表示すべき画像信号のＡＰＬが低いときは全セル初期化動作を行う初期化期間を有するサブフィールドの数を減らし、前記ＡＰＬが高いときは全セル初期化動作を行う初期化期間を有するサブフィールドの数を増やすことを特徴とする請求項１に記載のプラズマディスプレイパネルの駆動方法。
【請求項３】
全セル初期化動作を行う初期化期間を有するサブフィールドにつづくサブフィールドは、選択初期化動作を行う初期化期間を有するサブフィールドであること特徴とする請求項２に記載のプラズマディスプレイパネルの駆動方法。
【発明の詳細な説明】
【技術分野】
【０００１】
本発明は、プラズマディスプレイパネルの駆動方法に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極が前面ガラス基板上に互いに平行に複数対形成され、それら表示電極を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極とデータ電極とが立体交差するように前面板と背面板とが対向配置されて密封され、内部の放電空間には放電ガスが封入されている。ここで表示電極とデータ電極とが対向する部分に放電セルが形成される。このような構成のパネルにおいて、各放電セル内でガス放電により紫外線を発生させ、この紫外線でＲＧＢ各色の蛍光体を励起発光させてカラー表示を行っている。
【０００３】
パネルを駆動する方法としてはサブフィールド法、すなわち、１フィールド期間を複数のサブフィールドに分割した上で、発光させるサブフィールドの組み合わせによって階調表示を行う方法が一般的である。また、サブフィールド法の中でも、階調表示に関係しない発光を極力減らしてコントラスト比を向上した新規な駆動方法が特許文献１に開示されている。
【０００４】
図６は特許文献１に記載された従来のパネルの駆動波形図である。以下、この駆動波形について説明する。１フィールド期間は、初期化期間、書込み期間および維持期間を有する８個のサブフィールドで構成されているものとし、それぞれ第１ＳＦ、第２ＳＦ、・・・、第８ＳＦと略記する。以下に説明するように、これらＮ個のサブフィールドのうち、第１ＳＦを除くサブフィールドでは、前のサブフィールドの維持期間中に点灯した放電セルでのみ初期化動作を行うようにしている。
【０００５】
第１ＳＦの初期化期間の前半部では、走査電極に緩やかに上昇するランプ電圧を印加することにより微弱放電を起こし、書込み動作に必要な壁電荷を各電極上に形成する。このとき後で壁電荷の最適化を図ることを見越して過剰に壁電荷を形成しておく。そして、つづく初期化期間の後半部では、走査電極に緩やかに下降するランプ電圧を印加することにより再び微弱放電を起こし、各電極上に過剰に蓄えられた壁電荷を弱め、各々の放電セルに対して適切な壁電荷に調整する。
【０００６】
第１ＳＦの書込み期間では、表示を行うべき放電セルにおいて書込み放電を起こす。そして、第１ＳＦの維持期間では、走査電極および維持電極に維持パルスを印加し、書込み放電を起こした放電セルにおいて維持放電を起こし、対応する放電セルの蛍光体層を発光させることにより画像表示を行う。
【０００７】
つづく第２ＳＦの初期化期間では、第１ＳＦの初期化期間後半部と同様の駆動波形、すなわち走査電極に緩やかに下降するランプ電圧を印加する。これは、書込み動作に必要な壁電荷形成を維持放電と同時に行うために、初期化期間の前半部を独立に設ける必要がないためである。したがって、第１ＳＦにおいて維持放電を行った放電セルは微弱放電を起こし、各電極上に過剰に蓄えられた壁電荷を弱め、各々の放電セルに対して適切な壁電荷に調整する。また、維持放電を行わなかった放電セルは第１ＳＦの初期化期間終了時における壁電荷が保たれており、放電することはない。
【０００８】
このように、第１ＳＦの初期化動作はすべての放電セルを放電させる全セル初期化動作であり、第２ＳＦ以降の初期化動作は維持放電を行った放電セルのみ初期化する選択初期化動作である。したがって、表示に関係のない発光は第１ＳＦの初期化の微弱放電のみとなりコントラストの高い画像表示が可能となる。
【特許文献１】特開２０００−２４２２２４号公報
【発明の開示】
【発明が解決しようとする課題】
【０００９】
近年、消費電力削減や輝度向上の要求にこたえるために、パネルの構造やパネル材料等に対する検討が活発になされている。たとえば、パネルに封入されている放電ガスのキセノン分圧を増加させることによりパネルの発光効率が向上することが一般に知られている。しかしながら上述のパネルおよびその駆動方法においては、キセノン分圧を増加させると書込み放電が不安定になり、書込み期間に書込み不良を生じるおそれがある等、書込み動作の駆動電圧マージンが狭くなるという課題があった。
【００１０】
ところで、すべての放電セルを初期化させる全セル初期化動作は上述したように書込み動作に必要な壁電荷を形成する働きをもつが、加えて、放電遅れを小さくし書込み放電を安定して発生させるためのプライミング（放電のための起爆剤＝励起粒子）を発生させるという働きをもあわせもつ。したがって、安定した書込み動作のためにはプライミングを増やすという方法が有効である。しかし、全セル初期化は、上述したように緩やかに上昇するランプ電圧および緩やかに下降するランプ電圧の２つのランプ電圧波形を用いているため、単純に全セル初期化の回数を増やすと初期化期間に必要な時間が長くなりすぎ、サブフィールド数を減らす等の対策が必要であった。そしてサブフィールド数を減らすと、サブフィールド法を用いて多階調表示を行う画像表示装置に特有の動画擬似輪郭が現れて画像表示品質が低下する。
【００１１】
本発明のパネルの駆動方法は、上記の課題に鑑みなされたものであり、全セル初期化回数を増やしても、必要なサブフィールド数が確保でき、かつ、安定した高速書込みが可能であるパネルの駆動方法を提供することを目的とする。
【課題を解決するための手段】
【００１２】
本発明のプラズマディスプレイパネルの駆動方法は、走査電極および維持電極とデータ電極との交差部に放電セルを形成してなるプラズマディスプレイパネルの駆動方法であって、１フィールド期間が初期化期間、書込み期間および維持期間を有する複数のサブフィールドから構成され、複数のサブフィールドの初期化期間には画像表示を行うすべての放電セルに対して初期化放電を発生させる全セル初期化動作を行わせるかまたは直前のサブフィールドにおいて維持放電を発生した放電セルに対して選択的に初期化放電を発生させる選択初期化動作を行わせ、複数のサブフィールドの書込み期間において書込み放電を発生させるための時間を、１フィールドを構成する複数のサブフィールドのうち全セル初期化動作を行うサブフィールドの数が少ない場合には長く設定し、全セル初期化動作を行うサブフィールドの数が多くなるにつれて短く設定することを特徴とする。
【００１３】
この駆動方法によれば、全セル初期化回数を増やしても、必要なサブフィールド数が確保でき、かつ、安定した高速書込みが可能であるプラズマディスプレイパネルの駆動方法を提供することができる。
【００１４】
また、本発明のプラズマディスプレイパネルの駆動方法は、表示すべき画像信号のＡＰＬが低いときは全セル初期化動作を行う初期化期間を有するサブフィールドの数を減らし、ＡＰＬが高いときは全セル初期化動作を行う初期化期間を有するサブフィールドの数を増やすことが望ましい。
【００１５】
この駆動方法により、輝度の高い領域があってもＡＰＬが低ければ黒表示領域の輝度が低くコントラストの高い画像表示が可能となる。
【００１６】
また、本発明のプラズマディスプレイパネルの駆動方法は、全セル初期化動作を行う初期化期間を有するサブフィールドにつづくサブフィールドは選択初期化動作を行う初期化期間を有するサブフィールドであることが望ましい。
【００１７】
この駆動方法により、全セル初期化動作によるプライミングを分散させることができる。
【発明の効果】
【００１８】
本発明によれば、全セル初期化回数を増やしても、必要なサブフィールド数が確保でき、かつ、安定した高速書込みが可能であるプラズマディスプレイパネルの駆動方法を提供することができる。
【発明を実施するための最良の形態】
【００１９】
以下、本発明の一実施の形態におけるパネルの駆動方法について、図面を用いて説明する。
【００２０】
（実施の形態）
図１は本発明の実施の形態に用いるパネルの要部を示す斜視図である。パネル１は、ガラス製の前面基板２と背面基板３とを対向配置して、その間に放電空間を形成するように構成されている。前面基板２上には表示電極を構成する走査電極４と維持電極５とが互いに平行に対をなして複数形成されている。そして、走査電極４および維持電極５を覆うように誘電体層６が形成され、誘電体層６上には保護層７が形成されている。また、背面基板３上には絶縁体層８で覆われた複数のデータ電極９が付設され、データ電極９の間の絶縁体層８上にデータ電極９と平行して隔壁１０が設けられている。また、絶縁体層８の表面および隔壁１０の側面に蛍光体層１１が設けられている。そして、走査電極４および維持電極５とデータ電極９とが交差する方向に前面基板２と背面基板３とを対向配置しており、その間に形成される放電空間には、放電ガスとして、たとえばネオンとキセノンの混合ガスが封入されている。
【００２１】
図２は本発明の一実施の形態におけるパネルの電極配列図である。行方向にｎ本の走査電極ＳＣＮ１〜ＳＣＮｎ（図１の走査電極４）およびｎ本の維持電極ＳＵＳ１〜ＳＵＳｎ（図１の維持電極５）が交互に配列され、列方向にｍ本のデータ電極Ｄ１〜Ｄｍ（図１のデータ電極９）が配列されている。そして、１対の走査電極ＳＣＮｉおよび維持電極ＳＵＳｉ（ｉ＝１〜ｎ）と１つのデータ電極Ｄｊ（ｊ＝１〜ｍ）とが交差した部分に放電セルが形成され、放電セルは放電空間内にｍ×ｎ個形成されている。
【００２２】
図３は本発明の実施の形態におけるパネルの駆動方法を使用するプラズマディスプレイ装置の構成図である。このプラズマディスプレイ装置は、パネル１、データ電極駆動回路１２、走査電極駆動回路１３、維持電極駆動回路１４、タイミング発生回路１５、ＡＤ（アナログ・デジタル）変換器１８、走査数変換部１９、サブフィールド変換部２０、ＡＰＬ（アベレージ・ピクチャ・レベル）検出部３０および電源回路（図示せず）を備えている。
【００２３】
図３において、画像信号ｓｉｇはＡＤ変換器１８に入力される。また、水平同期信号Ｈおよび垂直同期信号Ｖはタイミング発生回路１５、ＡＤ変換器１８、走査数変換部１９、サブフィールド変換部２０に入力される。ＡＤ変換器１８は、画像信号ｓｉｇをデジタル信号の画像データに変換し、その画像データを走査数変換部１９およびＡＰＬ検出部３０に出力する。ＡＰＬ検出部３０は画像データの平均輝度レベルを検出する。走査数変換部１９は、画像データをパネル１の画素数に応じた画像データに変換し、サブフィールド変換部２０に出力する。サブフィールド変換部２０は、各画素の画像データを複数のサブフィールドに対応する複数のビットに分割し、サブフィールド毎の画像データをデータ電極駆動回路１２に出力する。データ電極駆動回路１２は、サブフィールド毎の画像データを各データ電極Ｄ１〜Ｄｍに対応する信号に変換し各データ電極を駆動する。
【００２４】
タイミング発生回路１５は、水平同期信号Ｈおよび垂直同期信号Ｖをもとにしてタイミング信号を発生し、各々走査電極駆動回路１３および維持電極駆動回路１４に出力する。走査電極駆動回路１３は、タイミング信号に基づいて走査電極ＳＣＮ１〜ＳＣＮｎに駆動波形を供給し、維持電極駆動回路１４は、タイミング信号に基づいて維持電極ＳＵＳ１〜ＳＵＳｎに駆動波形を供給する。ここで、タイミング発生回路１５はＡＰＬ検出部３０から出力されるＡＰＬに基づいて駆動波形を制御する。具体的には後述するように、ＡＰＬに基づいて１フィールドを構成する各々のサブフィールドの初期化動作を全セル初期化か選択初期化かのいずれかに決定して、１フィールド内の全セル初期化動作の回数を制御する。
【００２５】
つぎに、パネルを駆動するための駆動波形とその動作について説明する。図４は本発明の実施の形態におけるパネルの各電極に印加する駆動波形図であり、全セル初期化動作を行う初期化期間を有するサブフィールド（以下、「全セル初期化サブフィールド」と略記する）と選択初期化動作を行う初期化期間を有するサブフィールド（以下、「選択初期化サブフィールド」と略記する）に対する駆動波形図である。図４は説明のため第１サブフィールドを全セル初期化サブフィールド、第２サブフィールドを選択初期化サブフィールドとして示している。
【００２６】
まず、全セル初期化サブフィールドの駆動波形とその動作について説明する。
【００２７】
初期化期間では、データ電極Ｄ１〜Ｄｍおよび維持電極ＳＵＳ１〜ＳＵＳｎを０（Ｖ）に保持し、走査電極ＳＣＮ１〜ＳＣＮｎに対して放電開始電圧以下となる電圧Ｖｐ（Ｖ）から、放電開始電圧を超える電圧Ｖｒ（Ｖ）に向かって緩やかに上昇するランプ電圧を印加する。すると、すべての放電セルにおいて１回目の微弱な初期化放電を起こし、走査電極ＳＣＮ１〜ＳＣＮｎ上に負の壁電圧が蓄えられるとともに、維持電極ＳＵＳ１〜ＳＵＳｎ上およびデータ電極Ｄ１〜Ｄｍ上に正の壁電圧が蓄えられる。ここで、電極上の壁電圧とは、電極を覆う誘電体層あるいは蛍光体層上に蓄積した壁電荷により生じる電圧をあらわす。その後、維持電極ＳＵＳ１〜ＳＵＳｎを正の電圧Ｖｈ（Ｖ）に保ち、走査電極ＳＣＮ１〜ＳＣＮｎに電圧Ｖｇ（Ｖ）から電圧Ｖａ（Ｖ）に向かって緩やかに下降するランプ電圧を印加する。すると、すべての放電セルにおいて２回目の微弱な初期化放電を起こし、走査電極ＳＣＮ１〜ＳＣＮｎ上の壁電圧および維持電極ＳＵＳ１〜ＳＵＳｎ上の壁電圧が弱められ、データ電極Ｄ１〜Ｄｍ上の壁電圧も書込み動作に適した値に調整される。あわせて、放電遅れを小さくし書込み放電を安定して発生させるためのプライミングをすべての放電セル内部に発生させる。このように、全セル初期化サブフィールドの初期化動作は、すべての放電セルにおいて初期化放電させる全セル初期化動作である。
【００２８】
つづく書込み期間では、走査電極ＳＣＮ１〜ＳＣＮｎを一旦Ｖｓ（Ｖ）に保持する。つぎに、データ電極Ｄ１〜Ｄｍのうち、１行目に表示すべき放電セルのデータ電極Ｄｋ（ｋ＝１〜ｍ）に正の書込みパルス電圧Ｖｗ（Ｖ）を印加するとともに、１行目の走査電極ＳＣＮ１に走査パルス電圧Ｖｂ（Ｖ）を印加する。このとき、データ電極Ｄｋと走査電極ＳＣＮ１との交差部の電圧は、外部印加電圧（Ｖｗ−Ｖｂ）にデータ電極Ｄｋ上の壁電圧および走査電極ＳＣＮ１上の壁電圧の大きさが加算されたものとなり、放電開始電圧を超える。そして、データ電極Ｄｋと走査電極ＳＣＮ１との間および維持電極ＳＵＳ１と走査電極ＳＣＮ１との間に書込み放電が起こり、この放電セルの走査電極ＳＣＮ１上に正の壁電圧が蓄積され、維持電極ＳＵＳ１上に負の壁電圧が蓄積され、データ電極Ｄｋ上にも負の壁電圧が蓄積される。このようにして、１行目に表示すべき放電セルで書込み放電を起こして各電極上に壁電圧を蓄積する書込み動作が行われる。一方、正の書込みパルス電圧Ｖｗ（Ｖ）を印加しなかったデータ電極Ｄｋと走査電極ＳＣＮ１との交差部の電圧は放電開始電圧を超えないので、書込み放電は発生しない。ここで、書込み放電を発生させるための時間（以下、「書込み時間」と略記する）は、後述するように全セル初期化サブフィールドの数により制御される。以上の書込み動作をｎ行目の放電セルに至るまで順次行い、書込み期間が終了する。
【００２９】
つづく維持期間では、まず、維持電極ＳＵＳ１〜ＳＵＳｎを０（Ｖ）に戻し、走査電極ＳＣＮ１〜ＳＣＮｎに正の維持パルス電圧Ｖｍ（Ｖ）を印加する。このとき、書込み放電を起こした放電セルにおいては、走査電極ＳＣＮｉ上と維持電極ＳＵＳｉ上との間の電圧は、維持パルス電圧Ｖｍ（Ｖ）に、走査電極ＳＣＮｉ上および維持電極ＳＵＳｉ上の壁電圧の大きさが加算されたものとなり放電開始電圧を超える。そして、走査電極ＳＣＮｉと維持電極ＳＵＳｉとの間に維持放電が起こり、走査電極ＳＣＮｉ上に負の壁電圧が蓄積され、維持電極ＳＵＳｉ上に正の壁電圧が蓄積される。このときデータ電極Ｄｋ上にも正の壁電圧が蓄積される。書込み期間において書込み放電が起きなかった放電セルでは維持放電は発生せず、初期化期間の終了時における壁電圧状態が保持される。つづいて、走査電極ＳＣＮ１〜ＳＣＮｎを０（Ｖ）に戻し、維持電極ＳＵＳ１〜ＳＵＳｎに正の維持パルス電圧Ｖｍ（Ｖ）を印加する。すると、維持放電を起こした放電セルでは、維持電極ＳＵＳｉ上と走査電極ＳＣＮｉ上との間の電圧は放電開始電圧を超えるので、再び維持電極ＳＵＳｉと走査電極ＳＣＮｉとの間に維持放電が起こり、維持電極ＳＵＳｉ上に負の壁電圧が蓄積され走査電極ＳＣＮｉ上に正の壁電圧が蓄積される。以降同様に、走査電極ＳＣＮ１〜ＳＣＮｎと維持電極ＳＵＳ１〜ＳＵＳｎとに交互に維持パルスを印加することにより、書込み期間において書込み放電を起こした放電セルでは維持放電が継続して行われる。なお、維持期間の最後には走査電極ＳＣＮ１〜ＳＣＮｎと維持電極ＳＵＳ１〜ＳＵＳｎとの間に、いわゆる細幅パルスを印加して、データ電極Ｄｋ上の正の壁電荷を残したまま、走査電極ＳＣＮ１〜ＳＣＮｎおよび維持電極ＳＵＳ１〜ＳＵＳｎ上の壁電圧を消去している。こうして維持期間における維持動作が終了する。
【００３０】
つづいて選択初期化サブフィールドの駆動波形とその動作について説明する。
【００３１】
初期化期間では、維持電極ＳＵＳ１〜ＳＵＳｎをＶｈ（Ｖ）に保持し、データ電極Ｄ１〜Ｄｍを０（Ｖ）に保持し、走査電極ＳＣＮ１〜ＳＣＮｎにＶｑ（Ｖ）からＶａ（Ｖ）に向かって緩やかに下降するランプ電圧を印加する。すると前のサブフィールドの維持期間で維持放電を行った放電セルでは、微弱な初期化放電が発生し、走査電極ＳＣＮｉ上および維持電極ＳＵＳｉ上の壁電圧が弱められ、データ電極Ｄｋ上の壁電圧も書込み動作に適した値に調整される。一方、前のサブフィールドで書込み放電および維持放電を行わなかった放電セルについては放電することはなく、前のサブフィールドの初期化期間終了時における壁電荷状態がそのまま保たれる。このように、選択初期化サブフィールドの初期化動作は、前のサブフィールドで維持放電を行った放電セルにおいて初期化放電させる選択初期化動作である。
【００３２】
書込み期間および維持期間については全セル初期化サブフィールドの書込み期間および維持期間と同様であるため説明を省略する。
【００３３】
つぎに、本発明の実施の形態におけるＰＤＰの駆動方法のサブフィールド構成について説明する。本実施の形態においては、１フィールドを１０のサブフィールド（ＳＦ１、ＳＦ２、・・・、ＳＦ１０）に分割し、各サブフィールドはそれぞれ（１、２、３、６、１１、１８、３０、４４、６０、８０）の輝度重みをもつものとする。このように、後ろのサブフィールドほど輝度重みが大きくなるように構成している。すなわち、１フィールドを構成する先頭のサブフィールドは、維持期間の輝度重みが最も小さいサブフィールドであり、つづくサブフィールドは、それぞれの維持期間の輝度重みが直前のサブフィールドの輝度重みより大きいサブフィールドである。
【００３４】
図５は、本発明の実施の形態におけるパネルの駆動方法のサブフィールド構成を示す図であり、表示すべき画像信号のＡＰＬに基づいてサブフィールド構成を切替えている。図５（ａ）は、ＡＰＬが０〜１．５％の画像信号時に使用する構成であり、第１ＳＦの初期化期間のみ全セル初期化動作を行い、第２ＳＦ〜第１０ＳＦの初期化期間は選択初期化動作を行うサブフィールド構成である。このときの１セル当りの書込み時間は２．１μｓに設定している。図５（ｂ）は、ＡＰＬが１．５〜５％の画像信号時に使用する構成であり、第１ＳＦおよび第４ＳＦの初期化期間が全セル初期化期間、第２ＳＦ、第３ＳＦと第５ＳＦ〜第１０ＳＦの初期化期間は選択初期化期間であるサブフィールド構成となっている。そして、このときの１セル当りの書込み時間は１．９μｓに設定している。図５（ｃ）は、ＡＰＬが５〜１００％の画像信号時に使用する構成であり、第１ＳＦ、第４ＳＦ、第６ＳＦの初期化期間は全セル初期化期間、第２ＳＦ、第３ＳＦ、第５ＳＦ、第７ＳＦ〜第１０ＳＦの初期化期間は選択初期化期間であるサブフィールド構成となっている。そして、このときの１セル当りの書込み時間は１．８μｓに設定している。表１に上述のサブフィールド構成とＡＰＬとの関係を示した。
【００３５】
【表１】
2005321500.tif 000003
【００３６】
このように本発明の実施の形態におけるパネルの駆動方法はＡＰＬが下がると全セル初期化動作の回数が少なくなるようにサブフィールド構成を制御している。これは、ＡＰＬの高い画像表示時においては黒表示領域が無いか、または僅かの面積であると考えられるので、全セル初期化回数を増やしプライミングを増やすことによって放電の安定化を図っている。逆に、ＡＰＬの低い画像表示時においては黒の画像表示領域が広いと考えられるため全セル初期化回数を減らし、黒表示品質を向上している。したがって、輝度の高い領域があってもＡＰＬが低ければ黒表示領域の輝度が低くコントラストの高い画像表示が可能となる。
【００３７】
このようにＡＰＬに依存して１フィールド当りの全セル初期化動作の回数を決定するが、同時に全セル初期化動作の回数に依存して１セル当りの書込み時間を設定している。すなわち、サブフィールドの書込み期間において書込み放電を発生させるための時間は、１フィールドを構成する複数のサブフィールドのうち、全セル初期化動作を行うサブフィールドの数が少ない場合には長く、全セル初期化動作を行うサブフィールドの数が多くなるにつれて短く設定されている。この理由は、すべての放電セルを初期化させる全セル初期化動作は、放電遅れを小さくし書込み放電を安定して発生させるためのプライミングを発生させるという働きをもっている。したがって全セル初期化を行うサブフィールドが多いと発生するプライミングも多くなり、書込み放電における放電遅れが小さくなるため、１セル当りの書込み時間を短く設定することができる。
【００３８】
また、全セル初期化期間に要する時間は選択初期化期間に要する時間に比べて３００μｓ程度長くなり、たとえば全セル初期化回数を１回から３回に増やした場合、６００μｓの駆動時間が余分に必要となり、１フィールド当り１０サブフィールドで構成することが難しくなる。しかし、上述のように、全セル初期化サブフィールドの数が少ない場合には長く、全セル初期化サブフィールドの数が多くなるにつれて短くなるように１セル当りの書込み時間を設定することによって、全セル初期化サブフィールドの数にかかわらず１フィールドを１０サブフィールドで構成することができる。このように本実施の形態におけるパネルの駆動方法によれば、必要なサブフィールド数を確保することができるので、サブフィールド数の不足による動画擬似輪郭等の画像表示品質の低下を招くことがない。そして、プライミングも十分確保できるので安定して書込み動作を行える。
【００３９】
なお、上記のように１フィールド当りの全セル初期化動作の回数はＡＰＬに依存して決定するが、全セル初期化動作を行うサブフィールドの位置を決定するに当たっては様々な形態が考えられる。しかし、書込み動作のための壁電荷の形成およびプライミングの発生という全セル初期化動作の働きを考慮すると、全セル初期化期間を有するサブフィールドは分散して配置することが望ましく、これらのサブフィールドを連続して配置しないことが特に望ましい。すなわち、全セル初期化動作を行う初期化期間を有するサブフィールドにつづくサブフィールドは、選択初期化動作を行う初期化期間を有するサブフィールドであることが望ましい。
【００４０】
また、本実施の形態においては、１セル当りの書込み時間をすべてのサブフィールドで一律に設定する例について示したが、本発明はこれに限定されるものではない。表２に他の実施の形態を示す。
【００４１】
【表２】
2005321500.tif 000004
【００４２】
表２に示した実施の形態においては、第１ＳＦの初期化期間のみ全セル初期化動作を行う場合には、第１ＳＦから第１０ＳＦまでの１セル当りの書込み時間をそれぞれ（２．４μｓ、２．４μｓ、２．１μｓ、２．１μｓ、２．１μｓ、１．８μｓ、１．８μｓ、１．８μｓ、１．７μｓ、１．７μｓ）と設定した。また、第１ＳＦおよび第４ＳＦの初期化期間で全セル初期化動作を行う場合、あるいは第１ＳＦ、第４ＳＦおよび第６ＳＦの初期化期間で全セル初期化動作を行う場合には、第１ＳＦから第１０ＳＦまでの１セル当りの書込み時間をそれぞれ（１．８μｓ、１．８μｓ、１．８μｓ、１．８μｓ、１．８μｓ、１．８μｓ、１．８μｓ、１．８μｓ、１．７μｓ、１．７μｓ）と設定した。
【００４３】
このように、全セル初期化動作の回数が少なくプライミングが不足する場合には第１ＳＦの書込み時間を比較的長めに設定しておき、後ろのサブフィールドの書込み時間を短く設定する。また、全セル初期化動作を行うサブフィールドが２つ以上存在しプライミングがある程度供給されている場合には第１ＳＦの書込み時間を比較的短めに設定しておき、後ろのサブフィールドの書込み時間をさらに短く設定してもよい。
【００４４】
なお、本実施の形態においては、１フィールドを１０ＳＦで構成し、全セル初期化回数を１〜３回の範囲で制御する例を示したが、本発明はこれに限定されるものではない。
【００４５】
このように、ＡＰＬが低いときは全セル初期化動作を行う初期化期間を有するサブフィールドの数を減らし、ＡＰＬが高いときは全セル初期化動作を行う初期化期間を有するサブフィールドの数を増やすとともに、全セル初期化サブフィールドの数が少ない場合には長く、全セル初期化サブフィールドの数が多くなるにつれて短くなるように１セル当りの書込み時間を設定することによって、全セル初期化回数を増やしても、必要なサブフィールド数が確保でき、かつ、安定した高速書込みが可能であるパネルの駆動方法を実現することができる。
【産業上の利用可能性】
【００４６】
本発明のパネルの駆動方法は、全セル初期化回数を増やしても、必要なサブフィールド数が確保でき、かつ、安定した高速書込みが可能となり、プラズマディスプレイパネルを用いた画像表示装置等として有用である。
【図面の簡単な説明】
【００４７】
【図１】本発明の実施の形態に用いるパネルの要部を示す斜視図
【図２】同パネルの電極配列図
【図３】同パネルの駆動方法を使用するプラズマディスプレイ装置の構成図
【図４】同パネルの各電極に印加する駆動波形図
【図５】同パネルの駆動方法のサブフィールド構成を示す図
【図６】従来のパネルの駆動波形図
【符号の説明】
【００４８】
１    パネル
２    前面基板
３    背面基板
４    走査電極
５    維持電極
９    データ電極
１５    タイミング発生回路
３０    ＡＰＬ検出部
【図１】
2005321500.tif 000005
【図２】
2005321500.tif 000006
【図３】
2005321500.tif 000007
【図４】
2005321500.tif 000008
【図５】
2005321500.tif 000009
【図６】
2005321500.tif 000010